(57)【要約】      （修正有）【課題】土木工事の生産性の管理において、網羅的且つ体系的に情報を管理すると共に、管理されている情報を柔軟に利用できるシステムを提供する。【解決手段】データ管理システム１は、生産性データを管理するシステムであって、生産性データの種別を表すラベルであって複数のカテゴリごとに階層構造を成している複数のラベルを記憶しているラベルデータ記憶部２０と、複数のカテゴリのうちの少なくとも１以上のカテゴリごとに選択された少なくとも１つのラベルが関連付けられた生産性データを取得する取得部１１と、ラベルの各カテゴリにおける階層構造のうちのいずれかの階層に属するラベルであって、カテゴリごとに指定されたラベルを含む検索条件を受け付ける受付部１２と、検索条件に該当する生産性データを抽出する抽出部１３と、抽出された生産性データを出力する出力部１４と、を備える【選択図】図２
2019028553.tif 000002
【特許請求の範囲】
【請求項１】
生産性データを管理するデータ管理システムであって、
前記生産性データの種別を表すラベルであって複数のカテゴリごとに階層構造を成している複数のラベルを記憶しているラベルデータ記憶部と、
前記複数のカテゴリのうちの少なくとも１以上のカテゴリごとに選択された少なくとも１つのラベルが関連付けられた前記生産性データを取得する取得部と、
ラベルの各カテゴリにおける階層構造のうちのいずれかの階層に属するラベルであって、カテゴリごとに指定されたラベルを少なくとも１以上含む検索条件を受け付ける受付部と、
前記検索条件に該当する前記生産性データを、前記取得部により取得された前記生産性データから抽出する抽出部と、
前記抽出部により抽出された前記生産性データを出力する出力部と、
を備えるデータ管理システム。
【請求項２】
前記出力部は、第１ラベルを含む検索条件に基づいて抽出された生産性データを、所定の集計方法で集計して第１の出力情報として出力し、
前記第１ラベルが属するカテゴリにおいて前記第１ラベルより下位の階層に属する第２ラベルを前記第１ラベルに代えて含む前記検索条件に基づいて抽出された生産性データを、前記所定の集計方法で集計した第２の出力情報を、前記第１の出力情報と対比可能な態様で出力する、
請求項１に記載のデータ管理システム。
【請求項３】
前記取得部により取得された前記生産性データを記憶している生産性データ記憶部と、
前記ラベルデータ記憶部に記憶されているラベルの変更に関する所定の入力を受け付けて、受け付けた所定の入力に応じて、前記ラベルの情報を変更するラベル変更部と、
前記ラベル変更部による前記ラベルの情報の変更に応じて、前記生産性データ記憶部に記憶されている前記生産性データのうち、情報が変更されたラベルが関連付けられていた前記生産性データのラベルを変更する生産性データ管理部と、
をさらに備える請求項１または２に記載のデータ管理システム。
【請求項４】
前記生産性データ管理部は、前記ラベル変更部により、前記ラベルデータ記憶部に記憶されていたラベルのうちの第３ラベルが削除された場合に、前記第３ラベルが属するカテゴリの階層構造において前記第３ラベルの直上に関連付けられている第４ラベルを、前記第３ラベルが関連付けられていた前記生産性データに関連付ける、
請求項３に記載のデータ管理システム。
【請求項５】
前記ラベルのカテゴリは、位置を表すラベルに関する位置カテゴリ、作業を表すラベルに関する作業カテゴリ、原価を表すラベルに関する原価カテゴリ、及び、資源を表すラベルに関する資源カテゴリの少なくとも一つを含む、
請求項１〜４のいずれか一項に記載のデータ管理システム。
【請求項６】
前記生産性データは、土木工事における予定に関する予定情報データ及び実績に関する実績情報データの少なくともいずれかを含む、
請求項１〜５のいずれか一項に記載のデータ管理システム。
【請求項７】
前記予定情報データは、作業工程に関する情報を含む作業工程データ、土木工事に関する数量に関する情報を含む工事数量データ、及び、土木工事に関する予算に関する情報を含む予算データの少なくともいずれか一つを含む、
請求項６に記載のデータ管理システム。
【請求項８】
前記実績情報データは、土木工事における進捗に関する情報を含む進捗データ、原価に関する情報を含む原価データ、及び、資源に関する情報を含む資源データの少なくともいずれか一つを含む、
請求項６または７に記載のデータ管理システム。
【請求項９】
生産性データを管理するデータ管理システムにおけるデータ管理方法であって、
前記データ管理システムは、前記生産性データの種別を表すラベルであって複数のカテゴリごとに階層構造を成している複数のラベルを記憶しているラベルデータ記憶部を備え、
前記データ管理方法は、
前記複数のカテゴリのうちの少なくとも１以上のカテゴリごとに選択された少なくとも１つのラベルが関連付けられた前記生産性データを取得する取得ステップと、
ラベルの各カテゴリにおける階層構造のうちのいずれかの階層に属するラベルであって、カテゴリごとに指定されたラベルを少なくとも１以上含む検索条件を受け付ける受付ステップと、
前記検索条件に該当する前記生産性データを、前記取得ステップにおいて取得された前記生産性データから抽出する抽出ステップと、
前記抽出ステップにおいて抽出された前記生産性データを出力する出力ステップと、
を有するデータ管理方法。
【請求項１０】
生産性データを管理するデータ管理システムとしてコンピュータを機能させるデータ管理プログラムであって、
前記データ管理システムは、前記生産性データの種別を表すラベルであって複数のカテゴリごとに階層構造を成している複数のラベルを記憶しているラベルデータ記憶部を備え、
前記データ管理プログラムは、前記コンピュータを、
前記複数のカテゴリのうちの少なくとも１以上のカテゴリごとに選択された少なくとも１つのラベルが関連付けられた前記生産性データを取得する取得手段、
ラベルの各カテゴリにおける階層構造のうちのいずれかの階層に属するラベルであって、カテゴリごとに指定されたラベルを少なくとも１以上含む検索条件を受け付ける受付手段、
前記検索条件に該当する前記生産性データを、前記取得手段により取得された前記生産性データから抽出する抽出手段、及び、
前記抽出手段により抽出された前記生産性データを出力する出力手段、
として機能させるデータ管理プログラム。
【発明の詳細な説明】
【技術分野】
【０００１】
本発明は、データ管理システム、データ管理方法及びデータ管理プログラムに関する。
【背景技術】
【０００２】
土木工事では、客観的な指標に基づいて生産性をモニタリングするために、資源、原価、予算及び工程等の情報が管理されている。例えば、工程管理及び原価管理を複合的に行うシステムが知られている。（例えば、特許文献１参照）。
【先行技術文献】
【特許文献】
【０００３】
【特許文献１】特許第４４１７３９４号公報
【発明の概要】
【発明が解決しようとする課題】
【０００４】
土木工事における生産性を分析及び把握するために、従来から種々のシステムは存在していた。しかしながら、従来のシステムは、情報の性質ごとに別のシステムで管理されており網羅的ではない場合があった。また、生産性を表す情報を種々の観点からの分析するために、情報の利用に柔軟性が求められる。従って、土木工事における生産性を管理するシステムにおいては、網羅的且つ体系的に情報を管理できると共に、情報の柔軟な利用が望まれる。
【０００５】
そこで本発明は、土木工事の生産性の管理において、網羅的且つ体系的に情報を管理すると共に、管理されている情報を柔軟に利用できるシステムを提供することを目的とする。
【課題を解決するための手段】
【０００６】
上記課題を解決するために、本発明の一形態に係るデータ管理システムは、生産性データを管理するデータ管理システムであって、生産性データの種別を表すラベルであって複数のカテゴリごとに階層構造を成している複数のラベルを記憶しているラベルデータ記憶部と、複数のカテゴリのうちの少なくとも１以上のカテゴリごとに選択された少なくとも１つのラベルが関連付けられた生産性データを取得する取得部と、ラベルの各カテゴリにおける階層構造のうちのいずれかの階層に属するラベルであって、カテゴリごとに指定されたラベルを少なくとも１以上含む検索条件を受け付ける受付部と、検索条件に該当する生産性データを、取得部により取得された生産性データから抽出する抽出部と、抽出部により抽出された生産性データを出力する出力部と、を備える。
【０００７】
本発明の一形態に係るデータ管理方法は、生産性データを管理するデータ管理システムにおけるデータ管理方法であって、データ管理システムは、生産性データの種別を表すラベルであって複数のカテゴリごとに階層構造を成している複数のラベルを記憶しているラベルデータ記憶部を備え、データ管理方法は、複数のカテゴリのうちの少なくとも１以上のカテゴリごとに選択された少なくとも１つのラベルが関連付けられた生産性データを取得する取得ステップと、ラベルの各カテゴリにおける階層構造のうちのいずれかの階層に属するラベルであって、カテゴリごとに指定されたラベルを少なくとも１以上含む検索条件を受け付ける受付ステップと、検索条件に該当する生産性データを、取得ステップにおいて取得された生産性データから抽出する抽出ステップと、抽出ステップにおいて抽出された生産性データを出力する出力ステップと、を有する。
【０００８】
本発明の一形態に係るデータ管理プログラムは、生産性データを管理するデータ管理システムとしてコンピュータを機能させるデータ管理プログラムであって、データ管理システムは、生産性データの種別を表すラベルであって複数のカテゴリごとに階層構造を成している複数のラベルを記憶しているラベルデータ記憶部を備え、データ管理プログラムは、コンピュータを、複数のカテゴリのうちの少なくとも１以上のカテゴリごとに選択された少なくとも１つのラベルが関連付けられた生産性データを取得する取得手段、ラベルの各カテゴリにおける階層構造のうちのいずれかの階層に属するラベルであって、カテゴリごとに指定されたラベルを少なくとも１以上含む検索条件を受け付ける受付手段、検索条件に該当する生産性データを、取得手段により取得された生産性データから抽出する抽出手段、及び、抽出手段により抽出された生産性データを出力する出力手段、として機能させる。
【０００９】
上記の形態によれば、カテゴリごとに階層構造を成す複数のラベルが予め記憶されており、各カテゴリの階層構造のうちのいずれかの階層に属するラベルが関連付けられた生産性データが取得される。これにより、生産性データが、網羅的且つ体系的にシステムに蓄積される。そして、任意に指定されたラベルを検索条件として生産性データを抽出及び出力できるので、蓄積されている情報の柔軟な利用が可能となる。
【００１０】
別の形態に係るデータ管理システムでは、出力部は、第１ラベルを含む検索条件に基づいて抽出された生産性データを、所定の集計方法で集計して第１の出力情報として出力し、第１ラベルが属するカテゴリにおいて第１ラベルより下位の階層に属する第２ラベルを第１ラベルに代えて含む検索条件に基づいて抽出された生産性データを、所定の集計方法で集計した第２の出力情報を、第１の出力情報と対比可能な態様で出力することとしてもよい。
【００１１】
上記の形態によれば、第１ラベルの下位の階層に属する第２ラベルを第１ラベルに代えて含む検索条件に基づいて抽出された生産性データを、集計及び出力できるので、第１ラベルで検索された生産性データを、より詳細化して分析できる。また、その詳細化は、第１ラベルの下位の階層に属する任意のラベルの指定により行うことができるので、柔軟な分析を行うことができる。
【００１２】
別の形態に係るデータ管理システムは、取得部により取得された生産性データを記憶している生産性データ記憶部と、ラベルデータ記憶部に記憶されているラベルの変更に関する所定の入力を受け付けて、受け付けた所定の入力に応じて、ラベルの情報を変更するラベル変更部と、ラベル変更部によるラベルの情報の変更に応じて、生産性データ記憶部に記憶されている生産性データのうち、情報が変更されたラベルが関連付けられていた生産性データのラベルを変更する生産性データ管理部と、をさらに備えることとしてもよい。
【００１３】
土木工事においては、作業の多様性、及び工事中の作業等の変更の可能性等のため、生産性に関する情報の管理に柔軟性が求められる。上記の形態によれば、ラベルの変更に関する入力の受け付けに応じて、ラベルデータ記憶部に記憶されているラベルの情報が変更され、ラベルの情報の変更に応じて、一旦蓄積された生産性データに関連付けられているラベルを変更できる。これにより、生産性データを柔軟に管理することができる。
【００１４】
別の形態に係るデータ管理システムでは、生産性データ管理部は、ラベル変更部により、ラベルデータ記憶部に記憶されていたラベルのうちの第３ラベルが削除された場合に、第３ラベルが属するカテゴリの階層構造において第３ラベルの直上に関連付けられている第４ラベルを、第３ラベルが関連付けられていた生産性データに関連付けることとしてもよい。
【００１５】
上記の形態によれば、ラベルデータ記憶部に記憶されているラベルの一つである第３ラベルを削除する変更が行われたときに、第３ラベルが関連づけられていた生産性データに、ラベルの階層構造において第３ラベルの直上に階層に属する第４ラベルが当該生産性データに関連付けられるので、ラベルの削除に伴った適切な生産性データの管理が実施される。
【００１６】
別の形態に係るデータ管理システムでは、ラベルのカテゴリは、位置を表すラベルに関する位置カテゴリ、作業を表すラベルに関する作業カテゴリ、原価を表すラベルに関する原価カテゴリ、及び、資源を表すラベルに関する資源カテゴリの少なくとも一つを含むこととしてもよい。
【００１７】
上記の形態によれば、位置、作業、原価及び資源の少なくともいずれかのカテゴリに含まれるラベルに基づいて、適切且つ柔軟に生産性データを管理及び利用することができる。
【００１８】
別の形態に係るデータ管理システムでは、生産性データは、土木工事における予定に関する予定情報データ及び実績に関する実績情報データの少なくともいずれかを含むこととしてもよい。
【００１９】
上記の形態によれば、土木工事における予定に関する情報及び実績に関する情報を管理できる。
【００２０】
別の形態に係るデータ管理システムでは、予定情報データは、作業工程に関する情報を含む作業工程データ、土木工事に関する数量に関する情報を含む工事数量データ、及び、土木工事に関する予算に関する情報を含む予算データの少なくともいずれか一つを含むこととしてもよい。
【００２１】
上記の形態によれば、予定に関する情報として、作業工程、数量及び予算に関する情報を管理できる。
【００２２】
別の形態に係るデータ管理システムでは、実績情報データは、土木工事における進捗に関する情報を含む進捗データ、原価に関する情報を含む原価データ、及び、資源に関する情報を含む資源データの少なくともいずれか一つを含むこととしてもよい。
【００２３】
上記の形態によれば、実績に関する情報として、進捗、原価及び資源に関する情報を管理できる。
【発明の効果】
【００２４】
本発明の一側面によれば、土木工事の生産性の管理において、網羅的且つ体系的に情報を管理すると共に、管理されている情報を柔軟に利用できるシステムを提供することが可能となる。
【図面の簡単な説明】
【００２５】
【図１】本実施形態に係るデータ管理システム及びデータ管理システムと通信を行う端末を含むシステムの装置構成を示す図である。
【図２】データ管理システムの機能的構成を示すブロック図である。
【図３】データ管理装置のハードウェア構成を示す図である。
【図４】図４（ａ）は、位置カテゴリ（ＬＢＳ）のラベルの階層構造の例を示す図である。図４（ｂ）は、作業カテゴリ（ＷＢＳ）のラベルの階層構造の例を示す図である。図４（ｃ）は、原価カテゴリ（ＣＢＳ）のラベルの階層構造の例を示す図である。
【図５】ラベルデータ記憶部に記憶されているラベルの例を示す図であって、図４（ａ）に示される階層構造に対応する位置カテゴリ（ＬＢＳ）のラベルの例を示す。
【図６】ラベルデータ記憶部２０に記憶されているラベルの例を示す図であって、図４（ｂ）に示される階層構造に対応する作業カテゴリ（ＷＢＳ）のラベルの例を示す。
【図７】ラベルデータ記憶部２０に記憶されているラベルの例を示す図であって、図４（ｃ）に示される階層構造に対応する原価カテゴリ（ＣＢＳ）のラベルの例を示す。
【図８】作業工程データの例を示す図である。
【図９】工事予算データの例を示す図である。
【図１０】工事数量データの例を示す図である。
【図１１】進捗データの例を示す図である。
【図１２】原価データの例を示す図である。
【図１３】ある土木工事における作業工程の予定及び実績を示す図である。
【図１４】抽出された生産性データを所定の集計方法により集計して算出したＰＶ予定出来高のデータの例を示す図である。
【図１５】抽出された生産性データを所定の集計方法により集計して算出したＥＶ実績出来高のデータの例を示す図である。
【図１６】抽出された生産性データを所定の集計方法により集計して算出したＡＣ実績原価のデータの例を示す図である。
【図１７】現在基準日に対するＰＶ予定出来高、ＥＶ実績出来高及びＡＣ実績原価の推移を示すグラフである。
【図１８】図１８（ａ）は、ＬＢＳラベル「上り線」を検索条件として抽出されたＰＶ予定出来高、ＥＶ実績出来高及びＡＣ実績原価の現在基準日に対する推移を示すグラフである。図１８（ｂ）は、ＬＢＳラベル「下り線」を検索条件として抽出されたＰＶ予定出来高、ＥＶ実績出来高及びＡＣ実績原価の現在基準日に対する推移を示すグラフである。
【図１９】図１９（ａ）〜（ｄ）は、ＷＢＳラベル「支保工」、「型枠」、「鉄筋」及び「コンクリート」のそれぞれを検索条件として抽出されたＰＶ予定出来高、ＥＶ実績出来高及びＡＣ実績原価の現在基準日に対する推移を示すグラフである。
【図２０】図２０（ａ）〜（ｄ）は、作業カテゴリの検索条件をＷＢＳラベル「支保工」として、位置カテゴリの検索条件をＬＢＳラベル「下り線−第１施工区間」、「下り線−第２施工区間」、「下り線−第３施工区間」及び「下り線−第４施工区間」のそれぞれに変えて抽出されたＰＶ予定出来高、ＥＶ実績出来高及びＡＣ実績原価の現在基準日に対する推移を示すグラフである。
【図２１】データ管理システムにおいて実施されるデータ管理方法の処理内容を示すフローチャートである。
【図２２】データ管理プログラムの構成を示す図である。
【発明を実施するための形態】
【００２６】
以下、添付図面を参照しながら本発明の実施形態を詳細に説明する。なお、図面の説明において同一又は同等の要素には同一の符号を付し、重複する説明を省略する。
【００２７】
図１は、本実施形態に係るデータ管理システム１及びデータ管理システム１と通信を行う端末Ｔを含むシステムの装置構成を示す図である。図１に示すシステムは、データ管理システム１、端末Ｔを含み、データ管理システム１及び端末Ｔは、ネットワークＮを介して互いに通信可能である。
【００２８】
データ管理システム１は、土木工事における生産性を表す種々の生産性データを管理するシステムである。生産性データは、土木工事における生産性を表す情報であって、様々な種類のデータを含む。具体的には、データ管理システム１は、土木工事に関する作業工程、予算、数量、資源等を管理する他のシステムからの生産性データ、及び、土木工事の管理者及び作業者等により入力される生産性データ等を取得して、網羅的且つ体系的に管理するシステムである。
【００２９】
端末Ｔは、例えば、据置型又は携帯型のパーソナルコンピュータ、高機能携帯電話機（スマートフォン）等により構成されるが、端末Ｔを構成する装置は限定されず、例えば携帯電話機、携帯情報端末（ＰＤＡ）などの携帯端末でもよい。なお、図１では、例として３台の端末Ｔが示されているが、その数はこれに限定されない。
【００３０】
図２は、データ管理システム１の機能的構成を示すブロック図である。本実施形態の例では、データ管理システム１は、データ管理装置１０により構成される。データ管理装置１０は、例えば、サーバにより構成される。
【００３１】
本実施形態のデータ管理装置１０は、図２に示すように、機能的には、取得部１１、受付部１２、抽出部１３及び出力部１４を備える。データ管理装置１０は、ラベル変更部１５及び生産性データ管理部１６を更に備えてもよい。
【００３２】
また、データ管理装置１０は、ラベルデータ記憶部２０及び生産性データ記憶部３０といった記憶手段にアクセス可能である。これらの記憶部２０，３０は、データ管理装置１０に備えられることとしてもよいし、データ管理装置１０からのアクセスが可能に設けられた外部の記憶手段として構成されてもよい。
【００３３】
図３は、データ管理装置１０のハードウェア構成図である。データ管理装置１０は、物理的には、図３に示すように、ＣＰＵ１０１、ＲＡＭ及びＲＯＭといったメモリにより構成される主記憶装置１０２、ハードディスク等で構成される補助記憶装置１０３、通信制御装置１０４などを含むコンピュータシステムとして構成されている。データ管理装置１０は、入力デバイスであるキーボード、タッチパネル、マウス等の入力装置１０５及びディスプレイ等の出力装置１０６をさらに含むこととしてもよい。
【００３４】
図２に示した各機能は、図３に示すＣＰＵ１０１、主記憶装置１０２等のハードウェア上に所定のコンピュータソフトウェアを読み込ませることにより、ＣＰＵ１０１の制御のもとで通信制御装置１０４等を動作させるとともに、主記憶装置１０２や補助記憶装置１０３におけるデータの読み出し及び書き込みを行うことで実現される。処理に必要なデータやデータベースは主記憶装置１０２や補助記憶装置１０３内に格納される。なお、端末Ｔも、図３に示すようなハードウェア構成を有するコンピュータシステムとして構成される。なお、本実施形態では、機能部１１〜１６が、データ管理装置１０に構成されることとしているが、各機能部１１〜１６が複数のコンピュータに分散して構成されることとしてもよい。
【００３５】
各機能部１１〜１６の説明に先立って、ラベルデータ記憶部２０を説明する。ラベルデータ記憶部２０は、生産性データの種別を表すラベルを記憶している記憶手段である。ラベルは、複数のカテゴリごとに階層構造を成している。図４は、ラベル情報記憶部に記憶されているラベルの階層構造を模式的に表す図である。
【００３６】
図４（ａ）は、位置カテゴリ（ＬＢＳ）のラベルの階層構造の例を示す図である。図４（ａ）に示すように、位置カテゴリのラベルは、最上位の階層であるレベル１にラベル「上り線」，「下り線」を含む。ラベル「上り線」，「下り線」のそれぞれの下位の階層（レベル２）に、ラベル「第１施工区間」，「第２施工区間」，「第３施工区間」，「第４施工区間」がそれぞれ含まれる。
【００３７】
図４（ｂ）は、作業カテゴリ（ＷＢＳ）のラベルの階層構造の例を示す図である。図４（ｂ）に示すように、作業カテゴリのラベルは、最上位の階層（レベル１）にラベル「仮設」，「本体」を含む。ラベル「仮設」の下位の階層（レベル２）に、ラベル「支保工」，「型枠」が含まれる。ラベル「本体」の下位の階層（レベル２）に、ラベル「鉄筋」，「コンクリート」が含まれる。
【００３８】
図４（ｃ）は、原価カテゴリ（ＣＢＳ）のラベルの階層構造の例を示す図である。図４（ｃ）に示すように、原価カテゴリのラベルは、最上位の階層（レベル１）にラベル「上り線」，「下り線」を含む。ラベル「上り線」，「下り線」のそれぞれの下位の階層（レベル２）に、ラベル「第１施工区間」，「第２施工区間」，「第３施工区間」，「第４施工区間」がそれぞれ含まれる。レベル２の各ラベルの下位の階層（レベル３）に、ラベル「仮設」，「本体」がそれぞれ含まれる。レベル３のラベル「仮設」のそれぞれの下位の階層（レベル４）には、ラベル「支保工」，「型枠」が含まれる。また、レベル３のラベル「本体」のそれぞれの下位の階層（レベル４）には、ラベル「鉄筋」，「コンクリート」が含まれる。
【００３９】
図５は、ラベルデータ記憶部２０に記憶されているラベルの例を示す図であって、図４（ａ）に示される階層構造に対応する位置カテゴリ（ＬＢＳ）のラベルの例を示す。ラベルＩＤは、ラベルを識別する識別子である。例えば、ラベルＩＤ「ＬＢ１１」は、ラベル「上り線−第１施工区間」を示す。
【００４０】
図６は、ラベルデータ記憶部２０に記憶されているラベルの例を示す図であって、図４（ｂ）に示される階層構造に対応する作業カテゴリ（ＷＢＳ）のラベルの例を示す。例えば、ラベルＩＤ「ＷＢ１１」は、ラベル「仮設−支保工」を示す。
【００４１】
図７は、ラベルデータ記憶部２０に記憶されているラベルの例を示す図であって、図４（ｃ）に示される階層構造に対応する原価カテゴリ（ＣＢＳ）のラベルの例を示す。例えば、ラベルＩＤ「ＣＢ１１１０１」は、ラベル「上り線−第１施工区間−仮設−型枠」を示す。
【００４２】
なお、ラベルデータ記憶部２０は、資源に関する生産性データに関連付けるためのラベルとして、資源カテゴリのラベルを更に有していてもよい。また、本実施形態では、ラベルの例として４つのカテゴリを例示しているが、ラベルのカテゴリはこれに限定されない。即ち、ラベルデータ記憶部２０に、ラベルのカテゴリ及びラベルのデータを予め設定しておくことにより、任意のラベルを各種の生産性データに関連付けさせることが可能である。
【００４３】
再び図２を参照して、データ管理装置１０の機能部を説明する。取得部１１は、生産性データを取得する部分である。取得部１１は、取得した生産性データを生産性データ記憶部３０に記憶させる。取得部１１は、ラベルデータ記憶部２０に記憶されているラベルのカテゴリのうちの少なくとも１以上のカテゴリから選択された少なくとも１つのラベルが関連付けられた生産性データを取得する。
【００４４】
生産性データは、例えば、本実施形態のデータ管理システム１とは別の、作業工程、予算及び投入資源等の生産性に関するデータを管理しているシステムから入力される。この場合には、例えば、他のシステムからのデータとそのデータに関連付けるべきラベルとの対応関係を規定したテーブルを予め設定しておき、取得部１１は、そのテーブルに基づいて所定のラベルが関連付けられた他のシステムからのデータを取得する。
【００４５】
また、生産性データは、例えば土木工事の管理者等に例示されるようなデータ管理システム１のユーザにより入力されることとしてもよい。この場合には、入力される生産性データに対してユーザにより適切なラベルが関連付けられる。
【００４６】
生産性データに関連付けられるラベルは、ラベルデータ記憶部２０に記憶されているラベルのうち、各カテゴリの階層構造におけるいかなる階層のラベルであってもよい。また、一の生産性データに対して、複数のカテゴリのうちの複数のカテゴリのそれぞれから選択された複数のラベルが関連付けられてもよい。
【００４７】
図８〜図１２は、取得部１１により取得され、生産性データ記憶部３０に記憶されている生産性データの例を示す図である。これらの例のうち、図８〜図１０は、土木工事における生産性データのうちの予定に関する予定情報データの例を示す。また、図１１〜図１２は、土木工事における生産性データのうちの実績に関する実績情報データの例を示す。
【００４８】
図８は、作業工程データの例を示す図である。図８に示すように、生産性データ記憶部３０は、位置カテゴリ（ＬＢＳ）のラベル、及び、作業カテゴリ（ＷＢＳ）のラベルが関連付けられた、開始日時、終了日時及び作業日数等を含む作業工程データを記憶している。図８に示す例では、生産性データ記憶部３０は、例えば、開始日時「２０１７／７／１」、終了日時「２０１７／７／６」及び作業日数「５」等を含む作業工程データを、ＬＢＳラベル「上り線−第１施工区間」及びＷＢＳラベル「仮設−支保工」に関連付けて記憶している。
【００４９】
図９は、工事予算データの例を示す図である。図９に示すように、生産性データ記憶部３０は、原価カテゴリ（ＣＢＳ）のラベルが関連付けられた、単位、数量、単価及び金額を含む工事予算データを記憶している。図９に示す例では、生産性データ記憶部３０は、例えば、単位「ｍ２」、数量「４００」、単価「７５００」及び金額「３００００００」を含む工事予算データを、ＣＢＳラベル「上り線−第１施工区間−仮設−支保工」に関連付けて記憶している。
【００５０】
図１０は、工事数量データの例を示す図である。図１０に示すように、生産性データ記憶部３０は、位置カテゴリ（ＬＢＳ）のラベル、作業カテゴリ（ＷＢＳ）のラベル及び原価カテゴリ（ＣＢＳ）のラベルが関連付けられた、単位、数量を含む工事数量データを記憶している。図１０に示す例では、生産性データ記憶部３０は、例えば、単位「空ｍ３」及び数量「４００」含む工事数量データを、ＬＢＳラベル「上り線−第１施工区間」、ＷＢＳラベル「仮設−支保工」及びＣＢＳラベル「上り線−第１施工区間−仮設−支保工」に関連付けて記憶している。
【００５１】
図１１は、進捗データの例を示す図である。図１１に示すように、生産性データ記憶部３０は、位置カテゴリ（ＬＢＳ）のラベル、及び、作業カテゴリ（ＷＢＳ）のラベルが関連付けられた、現在基準日、開始日時、終了日時及び作業日数等を含む進捗データを記憶している。図１１に示す例では、生産性データ記憶部３０は、例えば、現在基準日「２０１７／８／３０」、開始日時「２０１７／８／１」、終了日時「２０１７／８／６」及び作業日数「１０」等を含む進捗データを、ＬＢＳラベル「上り線−第１施工区間」及びＷＢＳラベル「仮設−支保工」に関連付けて記憶している。
【００５２】
図１２は、原価データの例を示す図である。図１２に示すように、生産性データ記憶部３０は、原価カテゴリ（ＣＢＳ）のラベルが関連付けられた、計上年月日、金額を含む原価データを記憶している。図１２に示す例では、生産性データ記憶部３０は、例えば、計上年月日「２０１７／８／３１」、金額「１００００００」を含む原価データを、ＣＢＳラベル「上り線−第１施工区間−仮設−支保工」に関連付けて記憶している。なお、本実施形態では、土木工事における生産性データのうちの実績に関する実績情報データとして、進捗データ及び原価データを例示しているが、資源に関する情報を含む資源データが実績情報データとして取得部１１により更に取得されてもよい。
【００５３】
再び図２を参照して、データ管理装置１０の機能部を説明する。受付部１２は、カテゴリごとに指定されたラベルを少なくとも１以上含む検索条件を受け付ける部分である。具体的には、受付部１２は、端末Ｔから送信された検索条件を受け付ける。検索条件は、例えば、端末Ｔのユーザにより入力される。検索条件に含まれるラベルは、各カテゴリの階層構造のうちのいずれかの階層に属するものである。受付部１２は、例えば、ＬＢＳラベル「上り線−第１施工区間」及びＷＢＳラベル「仮設−支保工」を検索条件として受け付けてもよい。また、検索条件に含まれるラベルは、階層構造のうちのいずれの階層に属するものであってもよいので、受付部１２は、例えば、ＬＢＳラベル「上り線」及びＷＢＳラベル「仮設−支保工」を検索条件として受け付けてもよい。また、検索条件は、ラベルの指定の他に、検索の対象とするデータの種別の指定を含んでもよい。
【００５４】
抽出部１３は、受付部１２により受け付けられた検索条件に該当する生産性データを、取得部１１により取得された生産性データから抽出する部分である。本実施形態では、取得部１１により取得された生産性データは生産性データ記憶部３０に記憶されているので、抽出部１３は、検索条件に該当する生産性データを生産性データ記憶部３０から抽出する。例えば、ＬＢＳラベル「上り線−第１施工区間」及びＷＢＳラベル「仮設−支保工」を検索条件として受け付けた場合には、抽出部１３は、図８〜図１２に例示した生産性データから、当該検索条件のラベルが関連付けられている生産性データを抽出する。検索条件においてデータの種別が指定されている場合は、抽出部１３は、指定されたデータの種別において、検索条件のラベルが関連付けられている生産性データを抽出する。
【００５５】
出力部１４は、抽出部１３により抽出された生産性データを出力する部分である。具体的には、出力部１４は、例えば、抽出された生産性データを端末Ｔに送信する。出力部１４は、抽出された生産性データを所定の集計方法で集計し、集計された生産性データを端末Ｔに表示させてもよい。
【００５６】
次に、本実施形態のデータ管理システム１による、ある土木工事における生産性の指標の予定／実績の比較及び分析の例を説明する。図１３は、ある土木工事における作業工程の予定及び実績を示す図である。図１３に示すように、７月から９月の下旬に上り線の施工が行われ、９月下旬から１２月の中旬に下り線の施工が行われる予定となっている。これに対して、実績においては、上り線の施工の開始が１ヶ月遅れたにも関わらず、下り線の施工は予定どおりに開始され、工事全体は予定通りに終了している。このため、実績において、９月下旬から１０月中旬に、上下線の同時施工期間が発生した。このような、予定に対する実績の差異が生産性に与えた影響を、データ管理システム１により分析する例を以下に詳述する。
【００５７】
図１４〜図１６は、種々のラベルの指定に基づいて抽出した生産性データを、所定の集計方法により集計して算出したＰＶ（Ｐｌａｎｅｄ  Ｖａｌｕｅ）予定出来高、ＥＶ（Ｅａｒｎｅｄ  Ｖａｌｕｅ）実績出来高及びＡＣ（Ａｃｔｕａｌ  Ｃｏｓｔ）実績原価のデータのそれぞれの例を示す図である。検索条件としてのラベルの指定は、ＬＢＳラベルのレベル１（上り線／下り線）及びレベル２（第１〜第４施工区間）並びにＷＢＳラベルのレベル１（仮設／本体）、及びレベル２（支保工／型枠／コンクリート／鉄筋）の取り得る組み合わせを全て含む。
【００５８】
ＰＶ予定出来高は、工事予算の金額に換算された出来高の時間的な推移の予定を示すデータであって、ＬＢＳラベルとＷＢＳラベルにより特定される作業毎の開始日時、終了日時、工事数量等の予定に係る生産性データを参照することにより算出できる。
【００５９】
ＥＶ実績出来高は、ＬＢＳラベルとＷＢＳラベルにより特定される作業毎の開始日時、終了日時の実績に基づいて、ＰＶ予定出来高を時間軸方向にシフトさせたものであり、ＰＶ予定出来高と対比することでスケジュール管理に使われる。
【００６０】
ＡＣ実績原価は、ＰＶ予定出来高及びＥＶ実績出来高に対応する原価の発生実績であり、ＥＶ実績出来高と対比することでコスト管理に使われる。
【００６１】
ＰＶ予定出来高、ＥＶ実績出来高及びＡＣ実績原価の算出は、土木工事の分野において周知の手法によるものであるので、詳細な説明は省略する。なお、ＰＶ予定出来高、ＥＶ実績出来高及びＡＣ実績原価のデータもそれぞれ、生産性データの１種として捉えることができるので、これらのデータは予め出力部１４により算出されて、生産性データ記憶部３０に記憶されていることとしてもよい。例えば、図１４に示す例では、ＬＢＳラベル「上り線−第１施工区間」及びＷＢＳラベル「仮設−支保工」を検索条件として抽出された種々の生産性データに基づいて算出されたＰＶ予定出来高が現在基準日に対応付けられて示されている。
【００６２】
生産性データの詳細な分析のために、出力部１４は、第１ラベルを含む検索条件に基づいて抽出された生産性データを、所定の集計方法で集計して第１の出力情報として出力する。そして、出力部１４は、第１ラベルが属するカテゴリにおいて第１ラベルより下位の階層に属する第２ラベルを第１ラベルに代えて含む検索条件に基づいて抽出された生産性データを、所定の集計方法で集計した第２の出力情報を、第１の出力情報と対比可能な態様で出力することとしてもよい。このような出力情報の出力について、図１５〜図１８を参照して説明する。
【００６３】
図１７は、現在基準日に対するＰＶ予定出来高、ＥＶ実績出来高及びＡＣ実績原価の推移を示すグラフ（出力情報）であって、位置カテゴリ（ＬＢＳ）のラベル及び作業カテゴリ（ＷＢＳ）のラベルの取り得る組み合わせの全てを検索条件として抽出されたデータをそれぞれ集計したものである。即ち、出力部１４は、位置カテゴリ（ＬＢＳ）のラベル及び作業カテゴリ（ＷＢＳ）のラベルの取り得る組み合わせの全てを検索条件として用いてＰＶ予定出来高、ＥＶ実績出来高及びＡＣ実績原価を抽出して、それぞれのデータについての現在基準日に対する推移を示す出力情報を出力する。言い換えるならば、出力部１４は、位置カテゴリ及び作業カテゴリのラベルで限定することなくＰＶ予定出来高、ＥＶ実績出来高及びＡＣ実績原価を抽出する。さらに言い換えるならば、出力部１４は、位置カテゴリ及び作業カテゴリのそれぞれのカテゴリの最上位の階層のラベル（いわゆるワイルドカード）を検索条件として、ＰＶ予定出来高、ＥＶ実績出来高及びＡＣ実績原価のデータを抽出する。
【００６４】
図１７に示すように、現在基準日「２０１７／１２／３１」において、ＡＣ実績原価が、ＰＶ予定出来高及びＥＶ実績出来高を上回っているので、何らかのコスト増加要因が発生したことがわかる。このコスト増加要因をより詳細に分析するために、端末Ｔからの指示入力に基づいて、出力部１４は、図１７に示される出力情報の集計に用いられた生産性データの抽出よりも、下位の階層に属するラベルを用いて抽出された生産性データを集計して出力情報（第２の出力情報）として出力する。
【００６５】
図１７の出力情報は、ＬＢＳラベル及びＷＢＳラベルとして、共にワイルドカードを検索条件として抽出したデータに基づいていた。これに対して、出力部１４は、ＬＢＳラベル「上り線」を検索条件として抽出されたＰＶ予定出来高、ＥＶ実績出来高及びＡＣ実績原価を集計した出力情報を出力する。具体的には、出力部１４は、図１８（ａ）に示すように、ＬＢＳラベル「上り線」を検索条件として抽出されたＰＶ予定出来高、ＥＶ実績出来高及びＡＣ実績原価の現在基準日に対する推移を示すグラフを、図１７に示すグラフと対比可能な態様で出力する。出力部１４は、例えば、端末Ｔに、図１７に示すグラフと図１８（ａ）に示すグラフとを並べて表示させる。
【００６６】
さらに、出力部１４は、図１８（ｂ）に示すように、ＬＢＳラベル「下り線」を検索条件として抽出されたＰＶ予定出来高、ＥＶ実績出来高及びＡＣ実績原価の現在基準日に対する推移を示すグラフを、図１７及び図１８（ａ）に示すグラフと対比可能な態様で出力する。
【００６７】
図１８（ｂ）に示すように、ＬＢＳラベル「下り線」を検索条件として抽出したデータに基づくグラフの現在基準日「２０１７／１２／３１」において、ＡＣ実績原価が、ＰＶ予定出来高及びＥＶ実績出来高を上回っているので、位置カテゴリのラベル「下り線」が関連付けられる位置の工事にコスト増加要因があることがわかる。
【００６８】
このコスト増加要因をより詳細に分析するために、端末Ｔからの指示入力に基づいて、図１８に示す例ではＷＢＳラベルとしてワイルドカードを検索条件としていたのに対して、出力部１４は、ＷＢＳラベル「支保工」、「型枠」、「鉄筋」及び「コンクリート」のそれぞれを検索条件として抽出されたＰＶ予定出来高、ＥＶ実績出来高及びＡＣ実績原価を集計した出力情報を出力する。具体的には、出力部１４は、図１９（ａ）〜（ｄ）に示すように、ＷＢＳラベル「支保工」、「型枠」、「鉄筋」及び「コンクリート」のそれぞれを検索条件として抽出されたＰＶ予定出来高、ＥＶ実績出来高及びＡＣ実績原価の現在基準日に対する推移を示すグラフを、図１８（ｂ）に示すグラフと対比可能な態様で出力する。
【００６９】
図１９（ａ）のグラフ及び他のグラフとの対比により示されるように、ＷＢＳラベル「支保工」を検索条件として抽出したデータに基づくグラフの現在基準日「２０１７／１２／３１」において、ＡＣ実績原価が、ＰＶ予定出来高及びＥＶ実績出来高を上回っているので、作業カテゴリのラベル「支保工」が関連付けられる作業の工事にコスト増加要因があることがわかる。
【００７０】
さらに、このコスト増加要因をより詳細に分析するために、端末Ｔからの指示入力に基づいて、出力部１４は、作業カテゴリの検索条件をＷＢＳラベル「支保工」として、位置カテゴリの検索条件をＬＢＳラベル「下り線−第１施工区間」、「下り線−第２施工区間」、「下り線−第３施工区間」及び「下り線−第４施工区間」のそれぞれとして抽出されたＰＶ予定出来高、ＥＶ実績出来高及びＡＣ実績原価を集計した４種の出力情報を出力する。具体的には、出力部１４は、図２０（ａ）〜（ｄ）に示すように、作業カテゴリの検索条件をＷＢＳラベル「支保工」として、位置カテゴリの検索条件をＬＢＳラベル「下り線−第１施工区間」、「下り線−第２施工区間」、「下り線−第３施工区間」及び「下り線−第４施工区間」のそれぞれに変えて抽出されたＰＶ予定出来高、ＥＶ実績出来高及びＡＣ実績原価の現在基準日に対する推移を示すグラフを、図１９（ａ）に示すグラフと対比可能な態様で出力する。
【００７１】
図２０（ａ），（ｂ）のグラフ及び他のグラフとの対比により示されるように、ＬＢＳラベル「下り線−第１施工区間」及び「下り線−第２施工区間」を検索条件として抽出したデータに基づくグラフの現在基準日「２０１７／１２／３１」において、ＡＣ実績原価が、ＰＶ予定出来高及びＥＶ実績出来高を上回っている。これにより、作業カテゴリのラベル「支保工」が関連付けられる作業であって、且つ、位置カテゴリのラベル「下り線−第１施工区間」または「下り線−第２施工区間」が関連付けられる位置の工事にコスト増加要因があることがわかる。
【００７２】
次に、ラベルデータ記憶部２０に記憶されているラベルの管理について説明する。図２に示されるように、データ管理装置１０は、機能部１１〜１４に加えて、ラベル変更部１５及び生産性データ管理部１６を更に備えてもよい。
【００７３】
ラベル変更部１５は、ラベルデータ記憶部２０に記憶されているラベルの変更に関する所定の入力を受け付けて、受け付けた所定の入力に応じて、ラベルの情報を変更する部分である。具体的には、端末Ｔのユーザにより入力されたラベルの情報の変更の指示入力、及び、データ管理装置１０の管理者による指示入力等に基づいて、ラベル変更部１５は、図４〜図７に例示したラベルの削除、追加、階層構造の変更といった処理を実施する。
【００７４】
生産性データ管理部１６は、ラベル変更部１５によるラベルの情報の変更に応じて、生産性データ記憶部３０に記憶されている生産性データのうち、情報が変更されたラベルが関連付けられていた生産性データのラベルを変更する部分である。
【００７５】
例えば、ラベル変更部１５により、ラベルデータ記憶部２０に記憶されていたラベルのうちの一のラベル（第３ラベル）が削除された場合に、生産性データ管理部１６は、当該一のラベルが属するカテゴリの階層構造において当該一のラベルの直上に関連付けられているラベル（第４ラベル）を、当該一のラベルが関連付けられていた生産性データに関連付ける。例えば、位置カテゴリのラベルのうち、ラベル「上り線」の下位階層に属するラベル「第１施工区間」がラベル変更部１５により削除された場合には、生産性データ管理部１６は、ＬＢＳラベル「上り線−第１施工区間」が関連付けられていた生産性データに、ＬＢＳラベル「上り線」を関連付ける。
【００７６】
また、ラベル変更部１５により、ラベルの追加、階層構造の変更が行われた場合には、生産性データ管理部１６は、端末Ｔのユーザまたはデータ管理システム１の管理者等による指示入力、及び、所定の変更ルール等に基づいて、ラベルの情報の変更に係る生産性データのラベルを変更する。
【００７７】
次に、図２１を参照して、本実施形態のデータ管理システム１の動作について説明する。図２１は、データ管理システム１において実施されるデータ管理方法の処理内容を示すフローチャートである。
【００７８】
ステップＳ１において、取得部１１は、ラベルデータ記憶部２０に記憶されているラベルが関連付けられた生産性データを取得する。そして、取得部１１は、取得した生産性データを生産性データ記憶部３０に記憶させる。
【００７９】
ステップＳ２において、カテゴリごとに指定されたラベルを少なくとも１以上含む検索条件を受け付ける。
【００８０】
ステップＳ３において、抽出部１３は、ステップＳ２において受付部１２により受け付けられた検索条件に該当する生産性データを、ステップＳ１において取得部１１により取得された生産性データから抽出する。
【００８１】
ステップＳ４において、出力部１４は、ステップＳ３において抽出部１３により抽出された生産性データを、所定の集計方法で集計して出力する。
【００８２】
次に、図２２を参照して、コンピュータをデータ管理装置１０として機能させるためのデータ管理プログラムを説明する。データ管理プログラムｐ１０は、メインモジュールｍ１０、取得モジュールｍ１１、受付モジュールｍ１２、抽出モジュールｍ１３及び出力モジュールｍ１４を含む。また、データ管理プログラムｐ１０は、ラベル変更モジュールｍ１５及び生産性データ管理モジュールｍ１６をさらに含んでもよい。
【００８３】
メインモジュールｍ１０は、データ管理処理を統括的に制御する部分である。取得モジュールｍ１１、受付モジュールｍ１２、抽出モジュールｍ１３、出力モジュールｍ１４、ラベル変更モジュールｍ１５及び生産性データ管理モジュールｍ１６を実行することにより実現される機能はそれぞれ、図２に示されるデータ管理装置１０の取得部１１、受付部１２、抽出部１３、出力部１４、ラベル変更部１５及び生産性データ管理部１６の機能と同様である。
【００８４】
データ管理プログラムｐ１０は、例えば、磁気ディスクや光ディスクまたは半導体メモリ等の記憶媒体ｒｍ１０によって提供される。また、データ管理プログラムｐ１０は、搬送波に重畳されたコンピュータデータ信号として通信ネットワークを介して提供されてもよい。
【００８５】
以上説明した本実施形態のデータ管理システム１、データ管理方法及びデータ管理プログラムｐ１０によれば、カテゴリごとに階層構造を成す複数のラベルが予め記憶されており、各カテゴリの階層構造のうちのいずれかの階層に属するラベルが関連付けられた生産性データが取得される。これにより、生産性データが、網羅的且つ体系的にシステムに蓄積される。そして、任意に指定されたラベルを検索条件として生産性データを抽出及び出力できるので、蓄積されている情報の柔軟な利用が可能となる。
【００８６】
以上、本発明をその実施形態に基づいて詳細に説明した。しかし、本発明は上記実施形態に限定されるものではない。本発明は、その要旨を逸脱しない範囲で様々な変形が可能である。
【００８７】
例えば、本実施形態では、データ管理装置１０が取得部１１、受付部１２、抽出部１３、出力部１４、ラベル変更部１５及び生産性データ管理部１６を備えることとしているが、これらの機能部１１〜１６が、互いに通信可能な複数のコンピュータに分散して構成されることとしてもよい。
【符号の説明】
【００８８】
１…データ管理システム、１０…データ管理装置、１１…取得部、１２…受付部、１３…抽出部、１４…出力部、１５…ラベル変更部、１６…生産性データ管理部、２０…ラベルデータ記憶部、３０…生産性データ記憶部、Ｔ…端末、ｍ１０…メインモジュール、ｍ１１…取得モジュール、ｍ１２…受付モジュール、ｍ１３…抽出モジュール、ｍ１４…出力モジュール、ｍ１５…ラベル変更モジュール、ｍ１６…生産性データ管理モジュール、ｐ１０…データ管理プログラム、ｒｍ１０…記憶媒体。
【図１】
2019028553.tif 000003
【図２】
2019028553.tif 000004
【図３】
2019028553.tif 000005
【図４】
2019028553.tif 000006
【図５】
2019028553.tif 000007
【図６】
2019028553.tif 000008
【図７】
2019028553.tif 000009
【図８】
2019028553.tif 000010
【図９】
2019028553.tif 000011
【図１０】
2019028553.tif 000012
【図１１】
2019028553.tif 000013
【図１２】
2019028553.tif 000014
【図１３】
2019028553.tif 000015
【図１４】
2019028553.tif 000016
【図１５】
2019028553.tif 000017
【図１６】
2019028553.tif 000018
【図１７】
2019028553.tif 000019
【図１８】
2019028553.tif 000020
【図１９】
2019028553.tif 000021
【図２０】
2019028553.tif 000022
【図２１】
2019028553.tif 000023
【図２２】
2019028553.tif 000024